(57)【要約】【課題】汎用端末をインターホン親機として通信可能なロビーインターホン、処理システム、及びプログラムを提供する。【解決手段】ロビーインターホン１は、住戸９１を複数有する集合住宅９のロビー９２に設けられる。ロビーインターホン１は、通信部１１を備える。通信部１１は、ロビーインターホン１との通信のためのプログラムがインストールされインターホン親機として機能し、住戸９１に対応する汎用端末３が有する通信部３１との間で通信可能である。【選択図】図１
2019087896.tif 000002
【特許請求の範囲】
【請求項１】
管理領域を複数有する施設のロビーに設けられるロビーインターホンであって、
前記ロビーインターホンとの通信のためのプログラムがインストールされインターホン親機として機能し、前記管理領域に対応する汎用端末が有する端末側通信部との間で通信可能なロビー側通信部を備える
ことを特徴とするロビーインターホン。
【請求項２】
前記ロビー側通信部は、前記汎用端末と異なるインターホン装置を介さないで、前記端末側通信部と通信可能である
ことを特徴とする請求項１に記載のロビーインターホン。
【請求項３】
前記管理領域に関する領域情報と、前記汎用端末に関する端末情報と、が対応付けられており、
前記ロビー側通信部は、呼出対象の前記管理領域の前記領域情報に対応付けられた前記端末情報を有する前記汎用端末に、呼出信号を送信する
ことを特徴とする請求項１又は２に記載のロビーインターホン。
【請求項４】
前記ロビー側通信部は、前記ロビー側通信部と前記端末側通信部との間の通信を制御する処理システムを介して、前記端末側通信部と通信する
ことを特徴とする請求項１〜３のいずれか１項に記載のロビーインターホン。
【請求項５】
前記ロビー側通信部は、広域通信網を介して前記端末側通信部と通信する
ことを特徴とする請求項１〜４のいずれか１項に記載のロビーインターホン。
【請求項６】
前記ロビー側通信部は、前記施設に構築された構内通信網のみを介して前記端末側通信部と通信する
ことを特徴とする請求項１〜４のいずれか１項に記載のロビーインターホン。
【請求項７】
請求項１〜６のいずれか１項に記載のロビーインターホンと、前記ロビーインターホンとの通信のためのプログラムがインストールされた汎用端末との間の通信を制御する通信制御部を備える
ことを特徴とする処理システム。
【請求項８】
コンピュータを、請求項１〜６のいずれか１項に記載のロビーインターホンとの間での通信が可能なインターホン親機として機能させるプログラム。
【請求項９】
前記コンピュータを、前記管理領域に設けられたインターホン子機との間での通信が可能なインターホン親機として機能させる請求項８に記載のプログラム。
【請求項１０】
前記コンピュータを、前記施設の管理室に設けられた管理室親機との間での通信が可能なインターホン親機として機能させる請求項８又は９に記載のプログラム。
【請求項１１】
前記コンピュータを、前記施設の前記ロビーに設けられた玄関ドアの電気錠を解錠させる解錠信号を施解錠装置に送信可能なインターホン親機として機能させる請求項８〜１０のいずれか１項に記載のプログラム。
【発明の詳細な説明】
【技術分野】
【０００１】
本開示は、一般にロビーインターホン、処理システム、及びプログラムに関し、より詳細にはロビーに設置されるロビーインターホン、処理システム、及びロビーインターホンと通信可能な汎用端末に用いられるプログラムに関する。
【背景技術】
【０００２】
従来、種々のインターホンシステムが提案されている。例えば、集合住宅の共用玄関（ロビー）に設置されているロビーインターホンと、集合住宅の住戸の外玄関に設置されている子機と、住戸内に設置されている親機とを有するインターホンシステムが開示されている（特許文献１参照）。
【０００３】
子機は第１伝送路を介して親機に接続され、ロビーインターホンは第２伝送路、通信装置及び共用伝送路を介して親機に接続されている。これにより、親機は、子機及びロビーインターホンと通信が可能となる。
【先行技術文献】
【特許文献】
【０００４】
【特許文献１】特開２０１７−１３９６７０号公報
【発明の概要】
【発明が解決しようとする課題】
【０００５】
従来のインターホンシステムでは、ロビーインターホンと通信可能な親機（インターホン親機）は、第２伝送路に接続可能なインターホンシステム専用端末に限られていた。
【０００６】
本開示は、上記事由に鑑みてなされており、その目的は、汎用端末をインターホン親機として通信可能なロビーインターホン、処理システム、及びプログラムを提供することにある。
【課題を解決するための手段】
【０００７】
本開示の一態様に係るロビーインターホンは、管理領域を複数を有する施設のロビーに設けられるロビーインターホンである。前記ロビーインターホンは、ロビー側通信部を備える。前記ロビー側通信部は、前記ロビーインターホンとの通信のためのプログラムがインストールされインターホン親機として機能し、前記管理領域に対応する汎用端末が有する端末側通信部との間で通信可能である。
【０００８】
本開示の一態様に係る処理システムは、前記ロビーインターホンと、前記ロビーインターホンとの通信のためのプログラムがインストールされた汎用端末との間の通信を制御する通信制御部を備える。
【０００９】
本開示の一態様に係るプログラムは、コンピュータを、前記ロビーインターホンとの間での通信が可能なインターホン親機として機能させる。
【発明の効果】
【００１０】
本開示のロビーインターホン、処理システム、及びプログラムでは、汎用端末をインターホン親機として通信可能になるという効果がある。
【図面の簡単な説明】
【００１１】
【図１】図１は、本開示の実施形態１に係るロビーインターホンを含むインターホンシステムのブロック図である。
【図２】図２は、同上のインターホンシステムにおけるインターホン子機のブロック図である。
【図３】図３は、同上のインターホンシステムにおける管理室親機のブロック図である。
【図４】図４は、同上のインターホンシステムにおける施解錠装置のブロック図である。
【図５】図５は、同上のインターホンシステムにおける動作説明図である。
【図６】図６は、本開示の実施形態１の第１変形例に係るロビーインターホンを含むインターホンシステムのブロック図である。
【図７】図７は、本開示の実施形態２に係るロビーインターホンを含むインターホンシステムのブロック図である。
【図８】図８は、本開示の実施形態２の第１変形例に係るロビーインターホンを含むインターホンシステムのブロック図である。
【発明を実施するための形態】
【００１２】
以下に説明する各実施形態及び変形例は、本開示の一例に過ぎず、本開示は、実施形態及び変形例に限定されない。この実施形態及び変形例以外であっても、本開示の技術的思想を逸脱しない範囲であれば、設計等に応じて種々の変更が可能である。
【００１３】
（実施形態１）
（１）概要
本実施形態のインターホンシステム１００のブロック図を図１に示す。本実施形態のインターホンシステム１００は、ロビーインターホン１と、処理システム２と、汎用端末３と、を備えている。本実施形態では、インターホンシステム１００が、施設として集合住宅９に適用される場合を例として説明する。本実施形態における集合住宅９は、共用スペースであるロビー９２、管理室９３、及び複数の管理領域として複数の住戸９１を有する。つまり、本実施形態のインターホンシステム１００は、集合住宅用のインターホンシステム１００である。
【００１４】
ロビーインターホン１は、例えば、集合住宅９におけるロビー９２に設置される。また、ロビーインターホン１は、ルータ７１、及びゲートウェイ装置７３を介して、インターネット回線等の広域通信網ＮＴ１（WAN:Wide Area Network）に接続されている。
【００１５】
処理システム２は、広域通信網ＮＴ１に接続されたサーバ２０１であり、ロビーインターホン１と汎用端末３との間の通信を制御する。具体的には、処理システム２は、ロビーインターホン１と汎用端末３との間における通信の中継処理を行う。
【００１６】
汎用端末３は、種々のアプリケーションソフトがインストール可能な端末である。汎用端末３は、住戸９１に対応している。汎用端末３は、例えば、スマートフォン、タブレット端末等の携帯端末であってもよいし、据置型の端末であってもよい。本実施形態では、汎用端末３が、住戸９１に設けられた据置型の端末である場合を例に説明する。集合住宅９において、各住戸９１には汎用端末３が設けられている。汎用端末３は、通信機能を有しており、ルータ７２、及びゲートウェイ装置７４を介して広域通信網ＮＴ１に接続されている。汎用端末３は、インターホンシステム専用のアプリケーションソフト（インターホンアプリケーションソフト）がインストールされている。汎用端末３は、インターホンアプリケーションソフトを起動することにより、ロビーインターホン１と通信可能なインターホン親機としての機能を実現する。つまり、汎用端末３は、ロビーインターホン１との通信のためのプログラム（インターホンアプリケーションソフト）がインストールされている。ここでいう通信とは、音声、画像、及びメッセージの少なくともいずれかを、送信と受信との少なくとも一方を行うことを意味する。本実施形態では、汎用端末３は、インターホンアプリケーションソフトを起動することにより、ロビーインターホン１との間で音声の送信及び受信、つまり通話が可能なインターホン親機としての機能を実現する。ここでいうインターホン親機とは、他のインターホン装置を介さず、ロビーインターホン１、インターホン子機４との間で通信可能な装置である。汎用端末３は、インターホンアプリケーションソフト以外のアプリケーションソフトがインストールされていてもよい。
【００１７】
ロビーインターホン１は、例えば、来訪者が、訪問先の住戸９１の住人と通話するための装置である。ロビーインターホン１は、来訪者によって訪問先の住戸９１に対応する住戸番号が入力されると、訪問先の住戸９１に設けられた汎用端末３との通信（通話）を要求する呼出信号を、広域通信網ＮＴ１を介して処理システム２に送信する。
【００１８】
処理システム２は、ロビーインターホン１からの呼出信号を受信すると、呼出信号に含まれる住戸情報（領域情報）に基づいて、呼出信号を訪問先の住戸９１に設けられた汎用端末３に中継する。
【００１９】
汎用端末３は、呼出信号を受信した場合、住人によって応答操作が行われると、広域通信網ＮＴ１を介してロビーインターホン１との間での通話が可能となる。汎用端末３は、ロビーインターホン１との間で通話可能になると、住人の音声のデータを、広域通信網ＮＴ１を介してロビーインターホン１に送信する。ロビーインターホン１は、汎用端末３から住人の音声のデータを受け取ると、受け取ったデータに基づく音声（住人の音声）を出力する。また、ロビーインターホン１は、来訪者の音声のデータを、広域通信網ＮＴ１を介して汎用端末３に送信する。汎用端末３は、ロビーインターホン１から来訪者の音声のデータを受け取ると、受け取ったデータに基づく音声（来訪者の音声）を出力する。
【００２０】
また、汎用端末３は、住戸９１の外玄関に設けられたインターホン子機４、及び集合住宅９の管理室９３に設けられた管理室親機５との間で通話可能である。汎用端末３は、インターホン子機４、及び管理室親機５との間で通話可能である。また、汎用端末３は、集合住宅９のロビー９２の出入口である玄関ドア９４に設けられた電気錠７５を施錠及び解錠する施解錠装置６と通信可能である。汎用端末３は、広域通信網ＮＴ１を介して施解錠装置６に制御信号（解錠信号）を送信することにより、玄関ドア９４を解錠することができる。
【００２１】
（２）詳細
以下に、本実施形態のインターホンシステム１００の詳細について説明する。本実施形態のインターホンシステム１００は、ロビーインターホン１、処理システム２、汎用端末３、インターホン子機４、管理室親機５、及び施解錠装置６を備えている。
【００２２】
（２．１）ロビーインターホン
ロビーインターホン１は、通信部１１（ロビー側通信部）と、カメラ１２と、操作部１３と、表示部１４と、スピーカ１５と、マイクロホン１６と、制御部１７と、を備えている。
【００２３】
ロビーインターホン１は、例えばプロセッサ及びメモリを有するマイクロコンピュータを有している。そして、プロセッサがメモリに格納されているプログラムを実行することにより、マイクロコンピュータが制御部１７として機能する。プロセッサが実行するプログラムは、ここではマイクロコンピュータのメモリに予め記録されているが、メモリカード等の記録媒体に記録されて提供されてもよいし、インターネット等の電気通信回線を通じて提供されてもよい。
【００２４】
通信部１１は、各住戸９１の汎用端末３、及び処理システム２と通信するためのインターフェースである。具体的には、通信部１１は、ルータ７１及びゲートウェイ装置７３を介して広域通信網ＮＴ１に接続されている。通信部１１とルータ７１との間の通信は、例えばＬＡＮケーブル（LAN:Local Area Network）などの通信線を介した有線通信であってもよいし、例えばＷｉ−Ｆｉ（登録商標）、Ｂｌｕｅｔｏｏｔｈ（登録商標）などの無線通信であってもよい。通信部１１は、広域通信網ＮＴ１を介して、処理システム２（サーバ２０１）、及び各住戸９１に設けられた汎用端末３との間で双方向の通信が可能となる。
【００２５】
カメラ１２は、来訪者の姿を撮像するように構成されている。カメラ１２が撮像した画像のデータは、広域通信網ＮＴ１を介して訪問先の住戸９１に設けられた汎用端末３に送信される。汎用端末３は、ロビーインターホン１のカメラ１２が撮像した画像を表示部３２に表示させる。住人は、汎用端末３の表示部３２に表示された画像を視認することにより、来訪者の姿を確認することができる。
【００２６】
操作部１３は、例えばテンキーボタン（１０キーボタン）を有している。来訪者は、操作部１３を用いて、訪問先の住戸番号（住戸情報）を入力することができる。
【００２７】
表示部１４は、例えば液晶ディスプレイである。表示部１４には、カメラ１２が撮像した画像、つまり来訪者の姿が表示される。また、表示部１４には、来訪者が操作部１３に入力した番号が表示される。
【００２８】
なお、ロビーインターホン１は、操作部１３と表示部１４とを兼ねたタッチパネルディスプレイを備えていてもよい。
【００２９】
スピーカ１５は、ロビーインターホン１が汎用端末３と通話可能な状態である場合には、汎用端末３から送信された音声データに基づいた音声を出力する。
【００３０】
マイクロホン１６は、来訪者の音声を取得し、音声データを生成する。ロビーインターホン１が汎用端末３と通話可能な状態である場合には、マイクロホン１６が生成した音声データが、通信部１１を介して汎用端末３に送信される。汎用端末３は、ロビーインターホン１から送信された音声データに基づいた音声を出力する。
【００３１】
制御部１７は、図１に示すように、処理部１８を含んでいる。
【００３２】
処理部１８は、来訪者によって操作部１３に住戸番号が入力されると、住戸番号に対応する住戸９１に設けられた汎用端末３との通話（通信）を要求する呼出信号を生成する。呼出信号には、操作部１３に入力された住戸番号（住戸情報）が含まれている。処理部１８は、生成した呼出信号を、通信部１１を介して処理システム２に送信する。
【００３３】
また、処理部１８は、来訪者が操作部１３への操作を開始すると、カメラ１２を起動させる。処理部１８は、カメラ１２が生成した画像データを表示部１４に表示させる。また、呼出信号には、カメラ１２が生成した画像データが含まれている。
【００３４】
また、処理部１８は、汎用端末３との通話が可能な状態になると、マイクロホン１６が生成した音声データを、通信部１１を介して汎用端末３に送信する。処理部１８は、通信部１１が汎用端末３から受信した音声データを、スピーカ１５に出力する。スピーカ１５は、受け取った音声データを基に音声を出力する。
【００３５】
（２．２）処理システム
処理システム２は、広域通信網ＮＴ１に接続されたサーバ２０１であり、通信部２１と、記憶部２２と、制御部２３と、を備えている。
【００３６】
処理システム２は、例えばプロセッサ及びメモリを有するマイクロコンピュータを有している。そして、プロセッサがメモリに格納されているプログラムを実行することにより、マイクロコンピュータが制御部２３として機能する。プロセッサが実行するプログラムは、ここではマイクロコンピュータのメモリに予め記録されているが、メモリカード等の記録媒体に記録されて提供されてもよいし、インターネット等の電気通信回線を通じて提供されてもよい。
【００３７】
通信部２１は、各住戸９１の汎用端末３、及びロビーインターホン１と通信するためのインターフェースである。具体的には、通信部２１は、広域通信網ＮＴ１に接続されている。通信部２１は、広域通信網ＮＴ１を介して、ロビーインターホン１、及び各住戸９１の汎用端末３との間で双方向の通信が可能となる。
【００３８】
記憶部２２は、ＲＯＭ（Read Only Memory）、ＲＡＭ（Random Access Memory）、またはＥＥＰＲＯＭ（Electrically Erasable Programmable Read Only Memory）等から選択されるデバイスで構成される。記憶部２２は、来訪者の訪問先の住戸９１に設けられた汎用端末３を特定するための情報を記憶している。具体的には、記憶部２２は、各住戸９１（管理領域）に関する住戸情報（領域情報）と、各住戸９１に設けられた汎用端末３に関する端末情報と、を対応付けて記憶している。住戸情報とは、住戸９１を識別するための情報であり、例えば住戸番号、住人の名前などのデータが含まれている。端末情報とは、汎用端末３を識別するための情報であり、例えば汎用端末３のＩＰアドレス（Internet Protocol Address）、ＭＡＣアドレス（Media Access Controladdress）、固有識別情報等のデータが含まれている。
【００３９】
制御部２３は、図１に示すように、通信制御部２４、及び登録部２５を含んでいる。
【００４０】
通信制御部２４は、通信部２１がロビーインターホン１からの呼出信号を受信すると、呼出信号に含まれる住戸番号（住戸情報）を基に、対応する端末情報を記憶部２２から取得する。通信制御部２４は、取得した端末情報に対応する汎用端末３に、広域通信網ＮＴ１を介して呼出信号を送信（中継）する。つまり、通信制御部２４は、ロビーインターホン１に入力された住戸番号の住戸９１に設けられた汎用端末３に、ロビーインターホン１からの要求信号を中継する。
【００４１】
登録部２５は、住戸情報と端末情報とを対応付けて記憶部２２に記憶させる（登録する）。登録部２５は、例えば、他の装置（例えば、管理室親機５、汎用端末３）から広域通信網ＮＴ１を介して、住戸情報と端末情報とを対応付けた登録情報を受信した場合、受信した登録情報を基に住戸情報と端末情報とを対応付けて記憶部２２に記憶する。例えば、集合住宅９の管理人は、管理室９３に設けられた管理室親機５から処理システム２（サーバ２０１）に、住戸情報と端末情報とを対応付けた登録情報を送信する。これにより、記憶部２２に、住戸情報と端末情報とが対応付けて記憶される。なお、処理システム２が、キーボード等の入力装置を備えている場合、入力装置に登録情報を入力することにより、住戸情報と端末情報とを対応付けたデータが記憶部２２に記憶されるように構成されていてもよい。また、住人が汎用端末３を操作して、汎用端末３から登録情報を処理システム２に送信してもよい。
【００４２】
また、登録部２５は、他の装置から受信した登録情報を基に、記憶部２２に記憶されているデータを変更する機能を有している。したがって、例えば住人が引っ越した場合に、住戸番号（住戸情報）に対応する端末情報の消去又は変更を容易に行うことができる。
【００４３】
また、住戸番号（住戸情報）と端末情報との対応データは、サーバ２０１の記憶部２２に記憶されているので、対応データのバックアップ、遠隔変更が容易となる。また、ロビーインターホン１を交換したとしても、住戸番号と端末情報との対応データをロビーインターホン１に登録する処理が不要となる。
【００４４】
（２．３）汎用端末
汎用端末３は、通信部３１（端末側通信部）と、表示部３２と、操作部３３と、スピーカ３４と、マイクロホン３５と、制御部３６と、を備えている。
【００４５】
汎用端末３は、例えばプロセッサ及びメモリを有するマイクロコンピュータを有している。そして、プロセッサがメモリに格納されているプログラムを実行することにより、マイクロコンピュータが制御部３６として機能する。プロセッサが実行するプログラムは、ここではマイクロコンピュータのメモリに予め記録されているが、メモリカード等の記録媒体に記録されて提供されてもよいし、インターネット等の電気通信回線を通じて提供されてもよい。
【００４６】
通信部３１は、ロビーインターホン１及び処理システム２と通信するためのインターフェースである。具体的には、通信部３１は、住戸９１に設けられたルータ７２、及び集合住宅９に設けられたゲートウェイ装置７４を介して広域通信網ＮＴ１に接続されている。通信部３１とルータ７２との間の通信は、例えばＬＡＮケーブル（LAN:Local Area Network）などの通信線を介した有線通信であってもよいし、例えばＷｉ−Ｆｉ（登録商標）、Ｂｌｕｅｔｏｏｔｈ（登録商標）などの無線通信であってもよい。通信部３１は、広域通信網ＮＴ１を介して、処理システム２及びロビーインターホン１との間で双方向の通信が可能となる。
【００４７】
汎用端末３は、タッチパネルディスプレイを備えており、タッチパネルディスプレイが表示部３２と操作部３３とを兼ねている。
【００４８】
表示部３２は、例えば液晶ディスプレイである。通信部３１がロビーインターホン１からの呼出信号を受信すると、表示部３２には、ロビーインターホン１のカメラ１２の撮像画像、つまり来訪者の姿が表示される。
【００４９】
操作部３３は、例えばタッチパッドであり、住戸９１の住人の操作を受け付ける。
【００５０】
スピーカ３４は、汎用端末３がロビーインターホン１と通話可能な状態である場合には、ロビーインターホン１から送信された音声データに基づいた音声を出力する。
【００５１】
マイクロホン３５は、住人の音声を取得し、音声データを生成する。汎用端末３がロビーインターホン１と通話可能な状態である場合には、マイクロホン３５が生成した音声データが、ネットワークを介してロビーインターホン１に送信される。ロビーインターホン１は、汎用端末３からの音声データに基づいた音声を出力する。
【００５２】
制御部３６は、通信部３１が呼出信号を受信すると、スピーカ３４から呼出音を発生させる。制御部３６は、通信部３１がロビーインターホン１（処理システム２）からの呼出信号を受信している状態で、操作部３３に対して所定の応答操作が行われると、汎用端末３とロビーインターホン１との間で通話可能な状態とする。汎用端末３とロビーインターホン１との間で通話可能な状態とは、汎用端末３とロビーインターホン１が広域通信網ＮＴ１を介して音声データの送受信を行うことで、来訪者と住人とが通話を行うことができる状態である。具体的には、制御部３６は、操作部３３に対して応答操作が行われると、マイクロホン３５が生成した音声データを、通信部３１を介してロビーインターホン１に送信する。また、制御部３６は、通信部３１がロビーインターホン１から受信した音声データを、スピーカ３４に出力する。スピーカ３４は、受け取った音声データを基に音声を出力する。
【００５３】
汎用端末３は、インターホンアプリケーションソフトを起動することにより、ロビーインターホン１だけでなく、インターホン子機４、及び管理室親機５との間での通信（通話）も可能となる。制御部３６は、通信部３１が呼出信号を受信した場合、呼出信号の送信元がロビーインターホン１、インターホン子機４、管理室親機５のいずれであるかを、表示部３２に表示させる。
【００５４】
また、汎用端末３は、インターホンアプリケーションソフトを起動することにより、広域通信網ＮＴ１を介して施解錠装置６と通信が可能となる。制御部３６は、操作部３３に対して所定の解錠操作が行われると、施解錠装置６へ解錠信号を送信する。施解錠装置６は、解錠信号を受信すると、電気錠７５を解錠する。
【００５５】
（２．４）インターホン子機
インターホン子機４は、各住戸９１の外玄関に設けられている。
【００５６】
図２に示すように、インターホン子機４は、通信部４１と、操作部４２と、スピーカ４３と、マイクロホン４４と、制御部４５と、を備えている。
【００５７】
通信部４１は、汎用端末３と通信するためのインターフェースである。具体的には、通信部４１は、住戸９１に設けられたルータ７２を介して汎用端末３に接続されている。つまり、インターホン子機４の通信部４１と、汎用端末３の通信部３１とは、住戸９１内に構築された宅内通信網を介して通信を行う。通信部４１とルータ７２との間の通信は、例えばＬＡＮケーブル（LAN:Local Area Network）などの通信線を介した有線通信であってもよいし、例えばＷｉ−Ｆｉ（登録商標）、Ｂｌｕｅｔｏｏｔｈ（登録商標）などの無線通信であってもよい。通信部４１は、ルータ７２を介して、汎用端末３との間で双方向通信が可能となる。なお、通信部４１は、ルータ７２及び広域通信網ＮＴ１を介して汎用端末３と通信を行うように構成されていてもよい。
【００５８】
操作部４２は、例えば押ボタンスイッチであり、来訪者の操作を受け付ける。操作部４２に対して所定の呼出操作（例えば押操作）が行われると、通信部４１から汎用端末３へ呼出信号が送信される。汎用端末３の通信部３１がインターホン子機４からの呼出信号を受信している状態で、操作部３３に対して所定の応答操作が行われると、汎用端末３とインターホン子機４との間で通話可能な状態となる。
【００５９】
スピーカ４３は、インターホン子機４が汎用端末３と通話可能な状態である場合には、汎用端末３から送信された音声データに基づいた音声を出力する。
【００６０】
マイクロホン４４は、来訪者の音声を取得し、音声データを出力する。インターホン子機４が汎用端末３と通話可能な状態である場合には、マイクロホン４４が生成した音声データが汎用端末３に送信される。汎用端末３のスピーカ３４は、インターホン子機４からの音声データに基づいた音声を出力する。
【００６１】
制御部４５は、操作部４２に対して呼出操作が行われると、通信部４１を介して汎用端末３へ呼出信号を送信する。汎用端末３において、呼出信号に対する応答操作が行われると、汎用端末３とインターホン子機４との間で通話可能な状態となる。制御部４５は、汎用端末３との通話が可能な状態になると、マイクロホン４４が生成した音声データを、通信部４１を介して汎用端末３に送信する。また、制御部４５は、通信部４１が汎用端末３から受信した音声データを、スピーカ４３に出力する。スピーカ４３は、受け取った音声データを基に音声を出力する。
【００６２】
（２．５）管理室親機
管理室親機５は、集合住宅９の管理室９３に設けられている。
【００６３】
図３に示すように、管理室親機５は、通信部５１と、操作部５２と、表示部５３と、スピーカ５４と、マイクロホン５５と、制御部５６と、を備えている。
【００６４】
通信部５１は、各住戸９１に設けられた汎用端末３と通信するためのインターフェースである。具体的には、通信部５１は、ルータ７１、及び広域通信網ＮＴ１を介して汎用端末３に接続されている。通信部５１とルータ７１との間の通信は、例えばＬＡＮケーブル（LAN:Local Area Network）などの通信線を介した有線通信であってもよいし、例えばＷｉ−Ｆｉ（登録商標）、Ｂｌｕｅｔｏｏｔｈ（登録商標）などの無線通信であってもよい。通信部５１は、広域通信網ＮＴ１を介して、汎用端末３との間で双方向の通信が可能となる。また、通信部５１は、広域通信網ＮＴ１を介して、ロビーインターホン１との間で双方向の通信が可能である。なお、通信部５１は、ルータ７１を介してロビーインターホン１と通信を行ってもよい。
【００６５】
操作部５２は、管理室親機５のユーザである管理人の操作を受け付ける。
【００６６】
表示部５３は、例えば液晶ディスプレイである。表示部５３には、例えば操作部５２が受け付けた操作内容が表示される。
【００６７】
スピーカ５４は、管理室親機５が汎用端末３と通話可能な状態である場合には、汎用端末３から送信された音声データに基づいた音声を出力する。
【００６８】
マイクロホン５５は、管理人の音声を取得し、音声データを生成する。管理室親機５が汎用端末３と通話可能な状態である場合には、マイクロホン５５が生成した音声データが通信部５１を介して汎用端末３に送信される。
【００６９】
制御部５６は、管理人によって操作部５２に住戸番号の入力操作が行われると、操作部５２が受け付けた住戸番号を基に呼出信号を生成する。住戸番号に対応する住戸９１に設けられた汎用端末３との通話（通信）を要求する呼出信号を生成する。呼出信号には、操作部５２に入力された住戸番号（住戸情報）が含まれている。制御部５６は、生成した呼出信号を、通信部５１を介して処理システム２に送信する。処理システム２の通信制御部２４は、通信部２１が管理室親機５からの呼出信号を受信すると、呼出信号に含まれる住戸番号（住戸情報）を基に、対応する端末情報を記憶部２２から取得する。通信制御部２４は、取得した端末情報に対応する汎用端末３に、広域通信網ＮＴ１を介して呼出信号を送信（中継）する。つまり、通信制御部２４は、管理室親機５に入力された住戸番号の住戸９１に設けられた汎用端末３に、管理室親機５からの要求信号を中継する。
【００７０】
汎用端末３において、呼出信号に対する応答操作が行われると、汎用端末３と管理室親機５との間で通話可能な状態となる。制御部５６は、汎用端末３との通話が可能な状態になると、マイクロホン５５が生成した音声データを、通信部５１を介して汎用端末３に送信する。また、制御部５６は、通信部５１が汎用端末３から受信した音声データを、スピーカ５４に出力する。スピーカ５４は、受け取った音声データを基に音声を出力する。
【００７１】
なお、ここでは詳細な説明を省略するが、管理室親機５と汎用端末３との通話のトリガは、管理室親機５から汎用端末３への呼出信号の送信だけでなく、汎用端末３から管理室親機５への呼出信号の送信によっても可能である。
【００７２】
（２．６）施解錠装置
施解錠装置６は、集合住宅９のロビー９２の出入口である玄関ドア９４に設けられた電気錠７５を施錠及び解錠するように構成されている。
【００７３】
図４に示すように、施解錠装置６は、通信部６１と、制御部６２と、を備えている。
【００７４】
通信部６１は、各住戸９１に設けられた汎用端末３と通信するためのインターフェースである。具体的には、通信部６１は、ルータ７１、及び広域通信網ＮＴ１を介して汎用端末３に接続されている。
【００７５】
制御部６２は、電気錠７５を制御するように構成されている。制御部６２は、通信部６１が汎用端末３からの解錠信号を受信すると、電気錠７５を解錠する。電気錠７５が解錠されることによって、来訪者がロビー９２の玄関ドア９４を通って、集合住宅９の中に入ることができる。
【００７６】
（３）動作例
次に、本実施形態のインターホンシステム１００の動作例について図５を参照して説明する。本動作例では、来訪者が住戸９１を訪問する際の動作について説明する。ここでは、汎用端末３においてインターホンアプリケーションソフトが起動されている。
【００７７】
来訪者は、ロビーインターホン１の操作部１３を用いて、訪問先の住戸９１の住戸番号を入力する入力操作を行う。ロビーインターホン１は、操作部１３が受け付けた住戸番号を基に生成した呼出信号を、広域通信網ＮＴ１を介して処理システム２に送信する（ステップＳ１）。
【００７８】
処理システム２において、通信制御部２４は、受け取った呼出信号に含まれる住戸番号に対応する端末情報を記憶部２２から取得する。通信制御部２４は、記憶部２２から取得した端末情報に対応する汎用端末３に、広域通信網ＮＴ１を介して呼出信号を送信（中継）する（ステップＳ２）。
【００７９】
汎用端末３において、ロビーインターホン１からの呼出信号を受信している状態で、住人により操作部３３に応答操作が行われると、汎用端末３とロビーインターホン１との間で、広域通信網ＮＴ１を介した通話が可能となる。
【００８０】
ロビーインターホン１と汎用端末３とは、広域通信網ＮＴ１を介した通話を行う（ステップＳ３）。具体的には、ロビーインターホン１の処理部１８は、マイクロホン１６が生成した来訪者の音声データを、広域通信網ＮＴ１を介して汎用端末３へ送信する。汎用端末３の制御部３６は、ロビーインターホン１からの音声データを受け取ると、受け取った音声データをスピーカ３４に出力する。また、汎用端末３の処理部１８は、マイクロホン３５が生成した住人の音声データを、広域通信網ＮＴ１を介してロビーインターホン１へ送信する。ロビーインターホン１の処理部１８は、汎用端末３からの音声データを受け取ると、受け取った音声データをスピーカ１５に出力する。
【００８１】
また、汎用端末３において、住人により操作部３３に解錠操作が行われると、汎用端末３は、解錠信号を施解錠装置６へ送信する（ステップＳ４）。施解錠装置６において、汎用端末３からの解錠信号を受信すると、制御部６２は、ロビーの玄関ドア９４に設けられた電気錠７５を解錠する（ステップＳ５）。これにより、来訪者は、ドアを通って集合住宅９の中に入り、訪問先の住戸９１の前まで行くことができる。
【００８２】
来訪者は、訪問先の住戸９１の外玄関に設けられたインターホン子機４の操作部４２に対して、所定の呼出操作を行う。インターホン子機４は、操作部４２に呼出操作が行われると、呼出信号をルータ７２を介して汎用端末３へ送信する（ステップＳ６）。
【００８３】
汎用端末３において、インターホン子機４からの呼出信号を受信している状態で、住人により操作部３３に応答操作が行われると、汎用端末３とインターホン子機４との間でルータ７２（宅内通信網）を介した通話が可能となる。汎用端末３とインターホン子機４とは、ルータ７２を介して通話を行う（ステップＳ７）。
【００８４】
（４）変形例
（４．１）第１変形例
本実施形態のインターホンシステム１００では、処理システム２が、広域通信網ＮＴ１に接続された外部のサーバ２０１であったが、この構成に限らない。図６に示すように、ロビーインターホン１が処理システム２を備えていてもよい。
【００８５】
本変形例のロビーインターホン１では、制御部１７は、通信制御部２４、及び登録部２５を含んでいる。また、ロビーインターホン１は、住戸情報と端末情報とを対応付けて記憶した記憶部２２を備えている。
【００８６】
来訪者によって操作部１３に、住戸情報として住戸番号が入力されると、通信制御部２４は、入力された住戸番号に対応する端末情報を記憶部２２から取得する。処理部１８は、通信制御部２４が取得した端末情報に対応する汎用端末３に、広域通信網ＮＴ１を介して呼出信号を送信する。
【００８７】
（４．２）その他の変形例
上述した例は、来訪者による操作部１３への操作によって、住戸番号（住戸情報）が入力されるように構成されていたが、これに限らない。例えば、ロビーインターホン１は、来訪者の音声によって住戸番号が入力されるように構成されていてもよい。この場合、マイクロホン１６が生成した音声データが、広域通信網ＮＴ１を介して処理システム２（サーバ２０１）に送信される。通信制御部２４は、ロビーインターホン１からの音声データに対して音声認識処理を行うことによって、来訪者が音声によって入力した住戸番号を認識する。通信制御部２４は、認識した住戸番号に対応する汎用端末３に呼出信号を送信（中継）する。
【００８８】
また、処理システム２は、ロビーインターホン１のカメラ１２の画像データを基に、来訪者を認識する画像認識機能を備えていてもよい。処理システム２は、画像認識器のにより認識した来訪者のデータが記憶部２２に記憶されている場合、呼出信号に来訪者データを含めて汎用端末３に送信する。これにより、住人は、来訪者が誰であるかを確認することができる。
【００８９】
また、コンピュータシステムである処理システム２は、１または複数のコンピュータで構成されるシステムであってもよい。例えば、処理システム２は、複数のサーバ２０１で構成されていてもよい。また、処理システム２は、処理システム２の少なくとも一部の機能は、クラウド（クラウドコンピューティング）によって実現されてもよい。
【００９０】
また、汎用端末３は、住戸９１に設けられた据置型の端末に限らず、住戸９１外へ持ち出し可能な携帯端末（例えばスマートフォン、タブレット端末）であってもよい。汎用端末３が住戸９１外においても広域通信網ＮＴ１に接続する機能を有している場合、住戸９１外であっても、ロビーインターホン１からの呼出信号を受信し、ロビーインターホン１と通話を行うことができる。
【００９１】
（実施形態２）
（５）構成
以下に、実施形態２に係るインターホンシステム１００Ａについて図７を参照して説明する。
【００９２】
本実施形態のインターホンシステム１００Ａでは、ロビーインターホン１と汎用端末３とが、集合住宅９に構築された構内通信網ＮＴ２（LAN:Local Area Network）のみを介して通話を行う点が、実施形態１のインターホンシステム１００と異なる。なお、実施形態１と同様の構成については、同一の符号を付して説明を省略する。
【００９３】
構内通信網ＮＴ２とは、集合住宅９に設けれた装置（ロビーインターホン１、汎用端末３、管理室親機５、施解錠装置６等）間で通信を行うためのネットワークである。構内通信網ＮＴ２において、装置間の通信は、ＬＡＮケーブル等の通信線を介した有線通信であってもよいし、Ｗｉ−Ｆｉ（登録商標）等の無線通信であってもよいし、有線通信と無線通信とが混在していてもよい。また、本実施形態における構内通信網ＮＴ２には、各住戸９１に構築された宅内通信網を含む。宅内通信網とは、住戸９１に設けられた装置（ルータ７２、汎用端末３、インターホン子機４）間の通信を行うためのネットワークである。また、構内通信網ＮＴ２は、例えばゲートウェイ装置を介して、広域通信網に接続されていてもよい。
【００９４】
本実施形態のインターホンシステム１００Ａにおける処理システム２Ａは、集合住宅９に設けれた制御装置２０２である。制御装置２０２は、通信部２１と、制御部２３と、記憶部２２と、を備えている。制御装置２０２は、構内通信網ＮＴ２の一部であり、ルータ機能を有している。
【００９５】
通信部２１は、ロビーインターホン１、各住戸９１の汎用端末３、管理室親機５、及び施解錠装置６と通信するためのインターフェースである。通信部２１は、ＬＡＮケーブル等の通信線を介した有線通信、又はＷｉ−Ｆｉ（登録商標）等の無線通信により、他の装置（ロビーインターホン１、汎用端末３、管理室親機５、施解錠装置６）との間で双方向通信を行う。
【００９６】
記憶部２２は、各住戸９１の住戸情報（例えば住戸番号）と、各住戸９１に設けられた汎用端末３の端末情報と、を対応付けて記憶している。
【００９７】
制御部２３は、通信制御部２４、及び登録部２５を含んでいる。
【００９８】
通信制御部２４は、通信部２１がロビーインターホン１から呼出信号を受け取ると、呼出信号に含まれる住戸番号を基に、対応する端末情報を記憶部２２から取得する。通信制御部２４は、取得した端末情報に対応する汎用端末３に、呼出信号を送信（中継）する。つまり、通信制御部２４は、ロビーインターホン１に入力された住戸番号の住戸９１に設けられた汎用端末３に、ロビーインターホン１からの呼出信号を中継する。
【００９９】
また、通信制御部２４は、ロビーインターホン１と汎用端末３との間で通話を行う際に、ロビーインターホン１と汎用端末３との間で送受信される音声データを中継する機能を有している。
【０１００】
登録部２５は、住戸情報と端末情報とを対応付けて記憶部２２に記憶させる（登録する）。登録部２５は、他の装置（例えば管理室親機５）から、住戸情報と端末情報とを対応付けた登録情報を受信した場合、受信した登録情報を基に住戸情報と端末情報とを対応付けて記憶部２２に記憶する。
【０１０１】
このように、本実施形態のインターホンシステム１００Ａでは、集合住宅９に構築された構内通信網ＮＴ２のみを介して、ロビーインターホン１と汎用端末３とが通話可能に構成されている。したがって、インターホンシステム１００Ａに関連する情報のセキュリティ性の向上を図ることができる。
【０１０２】
なお、集合住宅９における複数の住戸９１の全てに汎用端末３が設けられている必要がなく、複数の住戸９１には、インターホンシステム専用のインターホン親機としての機能のみを有する専用端末が設けられた住戸９１が含まれていてもよい。専用端末は、専用の伝送路を介して制御装置２０２に接続される。記憶部２２に記憶された端末情報には、住戸９１に設けられたインターホン親機として機能する端末が汎用端末３であるか専用端末であるかを表す情報が含まれている。通信制御部２４は、通信制御部２４は、ロビーインターホン１からの呼出信号に含まれる住戸情報に対応する端末情報が、専用端末を表している場合、この専用端末に専用の伝送路を介して呼出信号を送信（中継）する。つまり、制御装置２０２は、呼出信号の送信先のインターホン親機が汎用端末３か専用端末かで、呼出信号の送信経路を、構内通信網ＮＴ２と専用の伝送路とで切り替える。
【０１０３】
（６）変形例
（６．１）第１変形例
実施形態２の第１変形例に係るインターホンシステム１００Ａについて図８を参照して説明する。
【０１０４】
本変形例のインターホンシステム１００Ａでは、ロビーインターホン１は、ゲートウェイ装置７３、及び広域通信網ＮＴ１を介して処理システム２Ｂと通信可能に構成されている。また、本変形例では、ロビーインターホン１は、構内通信網ＮＴ２の一部である中継装置７６（例えばルータ）を介して、汎用端末３と通信を行う。
【０１０５】
ロビーインターホン１において、処理部１８は、来訪者によって操作部１３に、住戸情報として住戸番号が入力されると、住戸情報を、広域通信網ＮＴ１を介して処理システム２ｂに送信する。
【０１０６】
処理システム２Ｂは、広域通信網ＮＴ１に接続された外部のサーバ２０１であり、通信部２１と、記憶部２２と、制御部２３（通信制御部２４、登録部２５）と、を備えている。
【０１０７】
通信制御部２４は、ロビーインターホン１から住戸情報を受け取ると、この住戸情報に対応する端末情報を記憶部２２から取得する。通信制御部２４は、取得した端末情報を、広域通信網ＮＴ１を介してロビーインターホン１に送信する。
【０１０８】
ロビーインターホン１において、処理部１８は、通信部１１が受信した端末情報を基に、この端末情報に対応する汎用端末３に、呼出信号を送信する。
【０１０９】
（６．２）第２変形例
「（４）変形例」の欄で説明した実施形態１の変形例に係るインターホンシステム１００（図６参照）と同様に、ロビーインターホン１が処理システム２Ｂを備えていてもよい。来訪者によって操作部１３に、住戸情報として住戸番号が入力されると、通信制御部２４は、入力された住戸番号に対応する端末情報を記憶部２２から取得する。処理部１８は、通信制御部２４が取得した端末情報に対応する汎用端末３に、構内通信網ＮＴ２（中継装置７６）を介して呼出信号を送信する。
【０１１０】
（７）その他の変形例
以下に、インターホンシステム１００，１００Ａのその他の変形例について説明する。なお、以下に説明する変形例は、上記各実施形態及び各変形例と適宜組み合わせて適用可能である。
【０１１１】
上記各実施形態は、本開示の様々な実施形態の一つに過ぎない。上記各実施形態は、本開示の目的を達成できれば、設計等に応じて種々の変更が可能である。
【０１１２】
ロビーインターホン１と同様の機能は、コンピュータプログラム、又はプログラムを記録した記録媒体等で具現化されてもよい。また、汎用端末３と同様の機能は、コンピュータプログラム、又はプログラムを記録した記録媒体等で具現化されてもよい。
【０１１３】
本開示におけるロビーインターホン１又はロビーインターホン１で用いられる制御方法の実行主体は、コンピュータシステムを含んでいる。コンピュータシステムは、ハードウェアとしてのプロセッサ及びメモリを有する。コンピュータシステムのメモリに記録されたプログラムをプロセッサが実行することによって、本開示におけるロビーインターホン１又はロビーインターホン１で用いられる制御方法の実行主体としての機能が実現される。プログラムは、コンピュータシステムのメモリに予め記録されていてもよいが、電気通信回線を通じて提供されてもよい。また、プログラムは、コンピュータシステムで読み取り可能なメモリカード、光学ディスク、ハードディスクドライブ等の非一時的な記録媒体に記録されて提供されてもよい。コンピュータシステムのプロセッサは、半導体集積回路（ＩＣ）又は大規模集積回路（ＬＳＩ）を含む１又は複数の電子回路で構成される。複数の電子回路は、１つのチップに集約されていてもよいし、複数のチップに分散して設けられていてもよい。複数のチップは、１つの装置に集約されていてもよいし、複数の装置に分散して設けられていてもよい。
【０１１４】
コンピュータシステムであるロビーインターホン１は、１または複数のコンピュータで構成されるシステムであってもよい。例えば、ロビーインターホン１の少なくとも一部の機能は、クラウド（クラウドコンピューティング）によって実現されてもよい。
【０１１５】
本開示における汎用端末３又は汎用端末３で用いられる制御方法の実行主体は、コンピュータシステムを含んでいる。コンピュータシステムは、ハードウェアとしてのプロセッサ及びメモリを有する。コンピュータシステムのメモリに記録されたプログラムをプロセッサが実行することによって、本開示における汎用端末３又は汎用端末３で用いられる制御方法の実行主体としての機能が実現される。プログラムは、コンピュータシステムのメモリに予め記録されていてもよいが、電気通信回線を通じて提供されてもよい。また、プログラムは、コンピュータシステムで読み取り可能なメモリカード、光学ディスク、ハードディスクドライブ等の非一時的な記録媒体に記録されて提供されてもよい。コンピュータシステムのプロセッサは、半導体集積回路（ＩＣ）又は大規模集積回路（ＬＳＩ）を含む１又は複数の電子回路で構成される。複数の電子回路は、１つのチップに集約されていてもよいし、複数のチップに分散して設けられていてもよい。複数のチップは、１つの装置に集約されていてもよいし、複数の装置に分散して設けられていてもよい。
【０１１６】
コンピュータシステムである汎用端末３は、１または複数のコンピュータで構成されるシステムであってもよい。例えば、汎用端末３の少なくとも一部の機能は、クラウド（クラウドコンピューティング）によって実現されてもよい。
【０１１７】
本開示における処理システム２，２Ａ，２Ｂ、又は処理システム２，２Ａ，２Ｂで用いられる制御方法の実行主体は、コンピュータシステムを含んでいる。コンピュータシステムは、ハードウェアとしてのプロセッサ及びメモリを有する。コンピュータシステムのメモリに記録されたプログラムをプロセッサが実行することによって、本開示における処理システム２，２Ａ，２Ｂ、又は処理システム２，２Ａ，２Ｂで用いられる制御方法の実行主体としての機能が実現される。プログラムは、コンピュータシステムのメモリに予め記録されていてもよいが、電気通信回線を通じて提供されてもよい。また、プログラムは、コンピュータシステムで読み取り可能なメモリカード、光学ディスク、ハードディスクドライブ等の非一時的な記録媒体に記録されて提供されてもよい。コンピュータシステムのプロセッサは、半導体集積回路（ＩＣ）又は大規模集積回路（ＬＳＩ）を含む１又は複数の電子回路で構成される。複数の電子回路は、１つのチップに集約されていてもよいし、複数のチップに分散して設けられていてもよい。複数のチップは、１つの装置に集約されていてもよいし、複数の装置に分散して設けられていてもよい。
【０１１８】
コンピュータシステムである処理システム２，２Ａ，２Ｂは、１または複数のコンピュータで構成されるシステムであってもよい。例えば、処理システム２，２Ａ，２Ｂの少なくとも一部の機能は、クラウド（クラウドコンピューティング）によって実現されてもよい。
【０１１９】
上述では、ロビーインターホン１を含むインターホンシステム１００，１００Ａが、集合住宅９に適用される場合を例に説明したが、これに限らない。インターホンシステム１００，１００Ａが適用される施設は、オフィスビル、商業施設、ホテル、病院、工場、学校、及び老人ホーム等であってもよい。
【０１２０】
（８）まとめ
第１態様に係るロビーインターホン（１）は、管理領域（住戸９１）を複数有する施設（集合住宅９）のロビー（９２）に設けられる。ロビーインターホン（１）は、ロビー側通信部（通信部１１）を備える。ロビー側通信部（１１）は、ロビーインターホン（１）との通信のためのプログラムがインストールされたインターホン親機として機能し、管理領域（９１）に対応する汎用端末（３）が有する端末側通信部（通信部３１）との間で通信可能である。
【０１２１】
この態様によれば、ロビーインターホン（１）は、汎用端末（３）をインターホン親機として通信可能となる。
【０１２２】
また、汎用端末（３）がインターホン親機として機能するので、専用のインターホン親機を用いる場合に比べて、インターホンシステムを低コストで容易に構築することができる。また、インターホン親機として機能する汎用端末（３）を、容易に交換することができる。
【０１２３】
第２態様に係るロビーインターホン（１）では、第１態様において、ロビー側通信部（１１）は、汎用端末（３）と異なるインターホン装置を介さないで、端末側通信部（３１）と通信可能である。
【０１２４】
この態様によれば、ロビーインターホン（１）は、専用のインターホン親機を介さずに、汎用端末（３）との通信が可能となる。
【０１２５】
第３態様に係るロビーインターホン（１）では、第１又は第２態様において、管理領域（９１）に関する領域情報（住戸情報）と、汎用端末（３）に関する端末情報と、が対応付けられている。ロビー側通信部（１１）は、呼出対象の管理領域（９１）の領域情報に対応付けられた端末情報を有する汎用端末（３）に、呼出信号を送信する。
【０１２６】
この態様によれば、領域情報と端末情報とに対応データに基づいて、呼出対象の管理領域（９１）に対応する汎用端末（３）に、呼出し信号を送信することができる。
【０１２７】
第４態様に係るロビーインターホン（１）では、第１〜第３態様のいずれかにおいて、ロビー側通信部（１１）は、ロビー側通信部（１１）と端末側通信部（３１）との間の通信を制御する処理システム（２，２Ａ，２Ｂ）を介して、端末側通信部（３１）と通信する。
【０１２８】
この態様によれば、処理システム（２，２Ａ，２Ｂ）において、ロビーインターホン（１）と汎用端末（３）との間における通信処理の一部が行われるので、ロビーインターホン（１）での処理負荷の軽減を図ることができる。
【０１２９】
第５態様に係るロビーインターホン（１）では、第１〜第４態様のいずれかにおいて、ロビー側通信部（１１）は、広域通信網（ＮＴ１）を介して端末側通信部（３１）と通信する。
【０１３０】
この態様によれば、ロビーインターホン（１）と汎用端末（３）との通信経路に広域通信網（ＮＴ１）を用いる。したがって、施設（９）にインターホンシステム専用の伝送路を設ける必要がなく、ロビーインターホン（１）と汎用端末（３）とを繋ぐネットワークの構築が容易となる。
【０１３１】
第６態様に係るロビーインターホン（１）では、第１〜第４態様のいずれかにおいて、ロビー側通信部（１１）は、施設（９）に構築された構内通信網（ＮＴ２）のみを介して端末側通信部（３１）と通信する。
【０１３２】
この態様によれば、ロビーインターホン（１）と汎用端末（３）との通信経路が構内通信網（ＮＴ２）のみで構築されるので、通信に関するセキュリティ性の向上を図ることができる。
【０１３３】
第７態様に係る処理システム（２，２Ａ，２Ｂ）は、第１〜第６態様のいずれかのロビーインターホン（１）と、ロビーインターホン（１）との通信のためのプログラムがインストールされた汎用端末（３）との間の通信を制御する通信制御部（２４）を備える。
【０１３４】
この態様によれば、通信制御部（２４）が、ロビーインターホン（１）と汎用端末（３）との間における通信処理の一部が行われるので、ロビーインターホン（１）での処理負荷の軽減を図ることができる。
【０１３５】
第８態様に係るプログラムは、コンピュータを、第１〜第６態様のいずれかのロビーインターホン（１）との間での通信が可能なインターホン親機として機能させる。
【０１３６】
この態様によれば、コンピュータは、ロビーインターホン（１）と間で通信が可能となる。
【０１３７】
第９態様に係るプログラムは、第８態様において、コンピュータを、管理領域（９１）に設けられたインターホン子機（４）との間での通信が可能なインターホン親機として機能させる。
【０１３８】
この態様によれば、コンピュータは、インターホン子機（４）との間で通信が可能となる。
【０１３９】
第１０態様に係るプログラムは、第８又は第９態様のいずれかにおいて、コンピュータを、施設（９）の管理室（９３）に設けられた管理室親機（５）との間での通信が可能なインターホン親機として機能させる。
【０１４０】
この態様によれば、コンピュータは、管理室親機（５）との間で通信が可能となる。
【０１４１】
第１１態様に係るプログラムは、第８〜第１０態様のいずれかにおいて、コンピュータを、施設（９）のロビー（９２）に設けられた玄関ドア（９４）の電気錠（７５）を解錠させる解錠信号を施解錠装置（６）に送信可能なインターホン親機として機能させる。
【０１４２】
この態様によれば、コンピュータは、電気錠（７５）を解錠することができる。
【０１４３】
第２〜第６の態様に係る構成については、ロビーインターホン（１）の必須の構成ではなく、適宜省略可能である。また、第９〜第１１態様に係るプログラムについては、必須ではなく適宜省略可能である。
【符号の説明】
【０１４４】
１  ロビーインターホン
１１  通信部（ロビー側通信部）
２，２Ａ，２Ｂ  処理システム
２４  通信制御部
３  汎用端末
３１  通信部（端末側通信部）
４  インターホン子機
５  管理室親機
６  施解錠装置
７５  電気錠
９  集合住宅（施設）
９１  住戸（管理領域）
９３  管理室
９２  ロビー
９４  玄関ドア
ＮＴ１  広域通信網
ＮＴ２  構内通信網
【図１】
2019087896.tif 000003
【図２】
2019087896.tif 000004
【図３】
2019087896.tif 000005
【図４】
2019087896.tif 000006
【図５】
2019087896.tif 000007
【図６】
2019087896.tif 000008
【図７】
2019087896.tif 000009
【図８】
2019087896.tif 000010